【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
クローキングデバイスであって、
物体側、画像側、及び、前記物体側と前記画像側との間に位置する被クローキング領域と、
前記物体側に位置する、第１の物体側焦点距離を有する第１の物体側収束レンズ及び第２の物体側焦点距離を有する第２の物体側収束レンズであって、前記第１の物体側収束レンズが、前記第２の物体側収束レンズよりも前記被クローキング領域に関し外側に位置する、第１の物体側収束レンズ及び第２の物体側収束レンズと、
前記画像側に位置する、第１の画像側焦点距離を有する第１の画像側収束レンズ及び第２の画像側焦点距離を有する第２の画像側収束レンズであって、前記第１の画像側収束レンズが、前記第２の画像側収束レンズよりも前記被クローキング領域に関し外側に位置する、第１の画像側収束レンズ及び第２の画像側収束レンズと、
物体側端及び画像側端を備えたコヒーレント画像ガイドであって、前記物体側端が前記第２の物体側収束レンズと光学的に整列され、前記画像側端が前記第２の画像側収束レンズと光学的に整列される、コヒーレント画像ガイドと、
を備え、
前記クローキングデバイスの物体側に位置しかつ前記被クローキング領域により視認不能化された物体からの光が、前記第１の物体側収束レンズ及び前記第２の物体側収束レンズにより、前記コヒーレント画像ガイドの前記物体側端上に平行に集束され、前記コヒーレント画像ガイドを通って前記コヒーレント画像ガイドの前記画像側端まで伝播し、前記第２の画像側収束レンズ及び前記第１の画像側収束レンズにより、平行に集束されて、前記クローキングデバイスの前記画像側に前記物体の画像を形成し、こうして前記物体からの前記光が前記被クローキング領域を通過したように見え、
前記第１の物体側焦点距離が前記第２の物体側焦点距離よりも長く、前記第１の画像側焦点距離が前記第２の画像側焦点距離よりも長い、
クローキングデバイス。
【請求項２】
前記第１の物体側収束レンズ及び前記第２の物体側収束レンズが、前記第１の物体側焦点距離と前記第２の物体側焦点距離との合計に等しい距離だけ互いに離間され、前記第１の画像側収束レンズ及び前記第２の画像側収束レンズが、前記第１の画像側焦点距離と前記第２の画像側焦点距離との合計に等しい距離だけ互いに離間される、請求項１に記載のクローキングデバイス。
【請求項３】
前記第１の物体側収束レンズが第１の物体側焦線を備え、前記第２の物体側収束レンズが第２の物体側焦線を備え、
前記第１の物体側焦線及び前記第２の物体側焦線が、前記第１の物体側収束レンズと前記第２の物体側収束レンズとの間に位置する、
請求項１に記載のクローキングデバイス。
【請求項４】
前記第１の物体側焦線及び前記第２の物体側焦線が共線である、請求項３に記載のクローキングデバイス。
【請求項５】
前記第１の画像側収束レンズが第１の画像側焦線を備え、前記第２の画像側収束レンズが第２の画像側焦線を備え、
前記第１の画像側焦線及び前記第２の画像側焦線が、前記第１の画像側収束レンズと前記第２の画像側収束レンズとの間に位置する、
請求項３に記載のクローキングデバイス。
【請求項６】
前記第１の画像側焦線及び前記第２の画像側焦線が共線である、請求項５に記載のクローキングデバイス。
【請求項７】
前記第１の物体側収束レンズが外向き凸面及び内向き平面を備え、前記第２の物体側収束レンズが内向き凸面及び外向き平面を備え、
前記第１の画像側収束レンズが外向き凸面及び内向き平面を備え、前記第２の画像側収束レンズが内向き凸面及び外向き平面を備える、
請求項１に記載のクローキングデバイス。
【請求項８】
前記物体からの光が、
前記第１の物体側収束レンズによって第１の物体側焦線上に集束され、
前記第１の物体側焦線と前記第２の物体側収束レンズの前記外向き平面との間で発散し、
前記第２の物体側収束レンズによって前記コヒーレント画像ガイドの前記物体側端上に平行に集束され、
前記コヒーレント画像ガイドの前記画像側端を出て、前記第２の画像側収束レンズの前記内向き凸面まで平行に伝播し、
前記第２の画像側収束レンズによって第２の画像側焦線上に集束され、
前記第２の画像側焦線と前記第１の画像側収束レンズの前記内向き平面との間で発散し、
前記第１の画像側収束レンズによって平行に集束されて、前記クローキングデバイスの前記画像側に前記物体の画像を形成する、
請求項７に記載のクローキングデバイス。
【請求項９】
前記第１の物体側収束レンズ、前記第２の物体側収束レンズ、前記第１の画像側収束レンズ、及び、前記第２の画像側収束レンズが、平凸レンズ、フレネルレンズ、又は、平凸レンズとフレネルレンズとの組み合わせである、請求項１に記載のクローキングデバイス。
【請求項１０】
前記コヒーレント画像ガイドがライトパイプ及び光ファイバの少なくとも一方を備える、請求項１に記載のクローキングデバイス。
【請求項１１】
光が、物体−第１の物体側収束レンズ−第２の物体側収束レンズ−コヒーレント画像ガイドの物体側端−コヒーレント画像ガイドの画像側端−第２の画像側収束レンズ−第１の画像側収束レンズ−画像、という光路を介し、前記クローキングデバイスを通って伝播する、請求項１に記載のクローキングデバイス。
【請求項１２】
光が、物体−第１の物体側収束レンズの外向き凸面−第１の物体側収束レンズの内向き平面−第２の物体側収束レンズの外向き平面−第２の物体側収束レンズの内向き凸面−コヒーレント画像ガイドの物体側端−コヒーレント画像ガイドの画像側端−第２の画像側収束レンズの内向き凸面−第２の画像側収束レンズの外向き平面−第１の画像側収束レンズの内向き平面−第１の画像側収束レンズの外向き凸面−画像、という光路を介し、前記クローキングデバイスを通って伝播する、請求項１に記載のクローキングデバイス。
【請求項１３】
ビークルであって、
Ａピラーと、
前記Ａピラーに位置する、請求項１に記載のクローキングデバイスと、
を備え、
前記Ａピラーが前記被クローキング領域内に位置し、前記物体側が前記ビークルの外部に位置し、前記画像側が前記ビークルの内部に位置し、
前記第１の物体側収束レンズ及び前記第２の物体側収束レンズが、光学的に互いに整列されるとともに、前記第１の物体側焦点距離と前記第２の物体側焦点距離との合計に等しい距離だけ互いに離間され、
前記第１の画像側収束レンズ及び前記第２の画像側収束レンズが、光学的に互いに整列されるとともに、前記第１の画像側焦点距離と前記第２の画像側焦点距離との合計に等しい距離だけ互いに離間される、
ビークル。
【請求項１４】
クローキングデバイスアセンブリであって、
物体側、画像側、前記物体側と前記画像側との間に位置する被クローキング領域、及び、前記被クローキング領域内に位置する被クローキング物品と、
前記物体側に位置する一対の物体側収束レンズであって、前記一対の物体側収束レンズのそれぞれが、物体側焦点距離と、前記物体側焦点距離に位置する物体側焦線とを有し、前記一対の物体側収束レンズの一方が、前記一対の物体側収束レンズの他方から前記被クローキング領域に関し外向きに離間され、前記一対の物体側収束レンズが、前記一対の物体側収束レンズの前記物体側焦点距離の合計に等しい距離だけ互いに離間される、一対の物体側収束レンズと、
前記画像側に位置する一対の画像側収束レンズであって、前記一対の画像側収束レンズのそれぞれが、画像側焦点距離と、前記画像側焦点距離に位置する画像側焦線とを有し、前記一対の画像側収束レンズの一方が、前記一対の画像側収束レンズの他方から前記被クローキング領域に関し外向きに離間され、前記一対の画像側収束レンズが、前記一対の画像側収束レンズの前記画像側焦点距離の合計に等しい距離だけ互いに離間される、一対の画像側収束レンズと、
物体側端及び画像側端を備えたコヒーレント画像ガイドであって、前記物体側端が前記一対の物体側収束レンズと光学的に整列され、前記画像側端が前記一対の画像側収束レンズと光学的に整列される、コヒーレント画像ガイドと、
を備え、
前記クローキングデバイスアセンブリの物体側に位置しかつ前記被クローキング領域により視認不能化された物体からの光が、前記一対の物体側収束レンズにより、前記コヒーレント画像ガイドの前記物体側端上に平行に集束され、前記コヒーレント画像ガイドを通って前記コヒーレント画像ガイドの前記画像側端まで伝播し、前記一対の画像側収束レンズにより、平行に集束されて、前記クローキングデバイスアセンブリの前記画像側に前記物体の画像を形成し、こうして前記物体からの前記光が前記被クローキング領域を通過したように見え、
前記一対の物体側収束レンズの一方の物体側焦点距離が前記一対の物体側収束レンズの他方の物体側焦点距離よりも長く、前記一対の画像側収束レンズの一方の画像側焦点距離が前記一対の画像側収束レンズの他方の画像側焦点距離よりも長い、
クローキングデバイスアセンブリ。